(57)【要約】【課題】  吸引した含塵空気中に粒子径が非常に細かいヒュームが含まれていて、而も、このヒュームが高濃度である場合においても、早期に目詰まりが発生しないように工夫した集塵用フィルタと、この集塵用フィルタを搭載した集塵装置を提供する。【解決手段】  平面視が略四角形状又は円形状の袋形状を成し、外端部１０Ｓをヒダのように次第に薄く形成して、上下両面に含塵空気の通気穴１０Ｈを開口形成した複数のフィルタ単体１０Ｔを、上下の通気穴１０Ｈ同士が連通し、フィルタの上下長手方向にヒダ状の外端部１０Ｓが上下幾重にも重なるように略蛇腹形状に連設する。これらフィルタ単体１０Ｔのうち、最初のフィルタ単体１０Ｔの上面に開口した通気穴１０Ｈを含塵空気の吹込口とし、最後のフィルタ単体１０Ｔの底面を通気穴が開口していない閉塞面として、各フィルタ単体１０Ｔに設けた各通気穴１０Ｈの上下の端縁同士を、縫着又は固着する。【選択図】  図４
2015226913.tif 000002
【特許請求の範囲】
【請求項１】
平面視が略四角形状又は円形状の袋形状を成し、外端部側を丁度ヒダのように次第に薄く形成する一方、中央部の上下両面には含塵空気の通気穴を各々開口形成して成る複数のフィルタ単体を、上下の通気穴同士がそれぞれ連通接続し、且つ、フィルタの上下長手方向に前記ヒダ状の外端部が上下幾重にも重なるように略蛇腹形状に複数連設して、これ等複数連設したフィルタ単体のうち、含塵空気の流れ方向に対して最初のフィルタ単体の上面中央部に開口形成されている前記通気穴を、含塵空気の吹込口とし、最後のフィルタ単体の底面を、前記通気穴が開口されていない閉塞面とするように構成すると共に、これ等連設された各フィルタ単体に設けられている前記各通気穴の上下の端縁同士が、上下外側方向に広がらないようにそれぞれ縫着、又は、固着されていることを特徴とする集塵用フィルタ。
【請求項２】
平面視が略四角形状又は円形状の袋形状を成し、外端部側を丁度ヒダのように次第に薄く形成する一方、中央部の上下両面には含塵空気の通気穴を各々開口形成して成る複数のフィルタ単体を、上下の通気穴同士がそれぞれ連通接続し、且つ、フィルタの上下長手方向に前記ヒダ状の外端部が上下幾重にも重なるように略蛇腹形状に複数連設して、これ等複数連設したフィルタ単体のうち、含塵空気の流れ方向に対して最初のフィルタ単体の上面中央部に開口形成されている前記通気穴を、含塵空気の吹込口とし、最後のフィルタ単体の底面を、前記通気穴が開口されていない閉塞面とするように構成すると共に、前記上下に複数連設したフィルタ単体のうち、その最下端側から数えて少なくとも複数個のフィルタ単体の内部には、全体を略櫛型状に形成した密着防止板の各長片状の櫛片が夫々介在されていることを特徴とする集塵用フィルタ。
【請求項３】
前記複数連設した各フィルタ単体のそれぞれが、繊維層が異なる２枚又は２枚以上の複数枚の濾過材を積層させることによって構成されていて、当該繊維層はその上流側、即ち、濾過面側から少なくともエレクトレット濾過材と、高性能濾過材とを用いて積層構造に構成され、且つ、両濾過材のフィルタ繊維の密度が、エレクトレット濾過材よりも高性能濾過材の方が高く構成されていることを特徴とする請求項１又は２に記載の集塵用フィルタ。
【請求項４】
前記エレクトレット濾過材の濾過面側の四隅に、エレクトレット濾過材間の密着を防止し、且つ、通気性を確保するための通気性部材が介在されていることを特徴とする請求項３に記載の集塵用フィルタ。
【請求項５】
前記集塵用フィルタを備えた集塵装置の機体内で、且つ、当該集塵用フィルタよりも下流側に、濾過風量を測定することができる風量測定手段と、回転数を可変調節可能に構成したブロワモータと、上記風量測定手段からの信号により前記ブロワモータの回転数を可変制御する制御部とを設けると共に、上記集塵用フィルタよりも上流側には、含塵空気中の含塵濃度を測定することができる粉塵濃度測定手段を設けて、上記の制御部は、上記の風量測定手段が測定した風量値と、上記の粉塵濃度測定手段が測定した粉塵濃度値から、単位風量当りの粉塵濃度値、即ち、粉塵濃度を風量で割った値を演算して、当該風量を上昇させても単位風量当りの粉塵濃度値が変化しない値を粉塵濃度飽和値として、この粉塵濃度飽和値を維持しつつ、上記風量検出手段から算出される風量値が最小となるように、上記ブロワモータの回転数を制御することを特徴とする請求項１、２、３及び４のいずれかに記載の集塵装置。
【発明の詳細な説明】
【技術分野】
【０００１】
本発明は、工場等の作業現場から発生する粉塵（ダスト）やヒューム等を捕集する集塵機、更には、その他のクリーナーや脱臭装置といった各種の集塵装置類に使用して好適な集塵用フィルタと、そのフィルタを備えた集塵装置に関するものである。
【背景技術】
【０００２】
従来の一般的な集塵用のフィルタは、濾過面積を広くするために、例えば後述する特許文献１に見られるように、フィルタ面を多数のヒダがフィルタの長手方向に幾重にも重なるように、断面略蛇腹形状（ジグザグ形状・アコーディオン形状等）に形成されていた。
【０００３】
また、高捕集効率と低圧力損失を維持する集塵用フィルタとしては、例えば後述する特許文献２に見られるように、表面電荷密度と繊度が異なる２層に積層したエレクトレット化された素材から成るフィルタが、既に存在している。
【０００４】
一方、例えば後述する特許文献３に見られるように、定風量運転を実現するファジイコントロールシステムを搭載した、インテリジェント機能を有する最近の集塵機では、吸引風量を風速計とコンピュータで常時監視し、吸引風量の増減が検知されると、吸塵用ファンの回転をファジイ制御して、最適な吸引風量（設定風量）に自動修正するように構成された集塵装置も、既に開発されている。
【先行技術文献】
【特許文献】
【０００５】
【特許文献１】特開２００７−０１４８９１号公報
【特許文献２】特開昭６２−１９７１１８号公報
【特許文献３】実開平０７−０４２９４０号公報
【発明の概要】
【発明が解決しようとする課題】
【０００６】
ところが、上記特許文献１に記載の表面略蛇腹状の集塵用フィルタを用いた集塵装置を使用する場合に於いて、一般的な含塵空気を捕集する場合については問題はないが、例えばレーザー加工時（シールやラベルのマーキング、カッティング等）や、半田付け作業時に発生するヒュームを捕集する場合には、ヒュームには非常に細かい粒子が含まれているため、それらがフィルタ濾過材に悪影響を及ぼして、早期にフィルタの目詰まりが発生してしまうという、問題があった。
【０００７】
特に、高濃度のヒュームを吸引した場合においては、その傾向が顕著に見受けられ、また、特に目詰まりが発生しやすい箇所としては、フィルタ各層の各段の内径部や、フィルタ各段のフィルタ内側面（濾過面）における、蛇腹の濾過面が接近している箇所等であって、そこから目詰まりが徐々にフィルタ全体に広まっていく傾向が多く見られた。
【０００８】
一方、前述した特許文献２に記載の積層エレクトレットフィルタにおいては、電荷密度に対してのフィルタ繊維の繊維径を規定しているが、例えば、フィルタ繊維の繊維径を太く（太繊度）して、フィルタ繊維の密度が高い濾過材を濾過面側の表層部側に用いた場合には、捕集した粗い粒子の塵埃が、フィルタ繊維の濾過面の表層部側に先に付着してしまうことで、通気度を充分に確保することができずに、早期に目詰まりが発生してしまうという、問題があった。
【０００９】
加えて、特に積層フィルタにおいては、ヒュームを含んだ含塵空気を捕集する場合、含塵空気中には非常に細かい（０．３μｍ程度の）粒子から、比較的大きな粒子（ １０μｍ程度）までの、比較的広範囲の粒子が混在し、而も、比較的大きな粒子（ １０μｍ程度）の体積割合が大きいため、前記特許文献２に記載のようなフィルタ繊維の繊維径の選定だけでは、それら全ての粒子径の塵埃を、効率よく捕集するのに適した濾過材を選定することは、非常に困難であった。
【００１０】
更に、前記特許文献３に記載の集塵機では、吸引空気量の増減に応じて、吸塵用ファンの回転を制御して、最適な吸引風量（設定風量）に自動修正するように制御しているが、一般的には、工程毎の含塵空気中に含まれる含塵量は異って変化するため、吸引空気量の増減に応じて、吸塵用ファンの回転を制御して吸引風量を変化させただけでは、含塵濃度の増減に対応することはできず、例えば、吸引空気量が少なく、且つ、吸引空気中の塵埃量が非常に多い場合においては、設定風量となるように吸引風量を加速回転して吸引空気量を増加させているが、含塵濃度が非常に高いために、フィルタに濾過性能以上の負荷が掛かってしまい、その結果、フィルタに対して早期に目詰まりが生じてしまうという、問題があった。
【００１１】
そこで本発明の技術的課題は、含塵空気中に粒子径が非常に細かいヒュームが含まれていて、而も、このヒュームが高濃度である含塵空気を吸引している場合においても、早期に目詰まりが発生しないように工夫した集塵用フィルタと、この集塵用フィルタを搭載した集塵装置を提供することである。
【課題を解決するための手段】
【００１２】
（１）  上記の技術的課題を解決するために、本発明の請求項１に係る集塵用フィルタは、平面視が略四角形状又は円形状の袋形状を成し、外端部側を丁度ヒダのように次第に薄く形成する一方、中央部の上下両面には含塵空気の通気穴を各々開口形成して成る複数のフィルタ単体を、上下の通気穴同士がそれぞれ連通接続し、且つ、フィルタの上下長手方向に前記ヒダ状の外端部が上下幾重にも重なるように略蛇腹形状に複数連設して、これ等複数連設したフィルタ単体のうち、含塵空気の流れ方向に対して最初のフィルタ単体の上面中央部に開口形成されている前記通気穴を、含塵空気の吹込口とし、最後のフィルタ単体の底面を、前記通気穴が開口されていない閉塞面とするように構成すると共に、これ等連設された各フィルタ単体に設けられている前記各通気穴の上下の端縁同士が、上下外側方向に広がらないようにそれぞれ縫着、又は、固着されていることを特徴としている。
【００１３】
（２）  また、本発明の請求項２に係る集塵用フィルタは、平面視が略四角形状又は円形状の袋形状を成し、外端部側を丁度ヒダのように次第に薄く形成する一方、中央部の上下両面には含塵空気の通気穴を各々開口形成して成る複数のフィルタ単体を、上下の通気穴同士がそれぞれ連通接続し、且つ、フィルタの上下長手方向に前記ヒダ状の外端部が上下幾重にも重なるように略蛇腹形状に複数連設して、これ等複数連設したフィルタ単体のうち、含塵空気の流れ方向に対して最初のフィルタ単体の上面中央部に開口形成されている前記通気穴を、含塵空気の吹込口とし、最後のフィルタ単体の底面を、前記通気穴が開口されていない閉塞面とするように構成すると共に、前記上下に複数連設したフィルタ単体のうち、その最下端側から数えて少なくとも複数個のフィルタ単体の内部には、全体を略櫛型状に形成した密着防止板の各長片状の櫛片が夫々介在されていることを特徴としている。
【００１４】
（３）  また、本発明の請求項３に係る集塵用フィルタは、前記複数連設した各フィルタ単体のそれぞれが、繊維層が異なる２枚又は２枚以上の複数枚の濾過材を積層させることによって構成されていて、当該繊維層はその上流側、即ち、濾過面側から少なくともエレクトレット濾過材と、高性能濾過材とを用いて積層構造に構成され、且つ、両濾過材のフィルタ繊維の密度が、エレクトレット濾過材よりも高性能濾過材の方が高く構成されていることを特徴としている。
【００１５】
（４）  また、本発明の請求項４に係る集塵用フィルタは、前記エレクトレット濾過材の濾過面側の四隅に、エレクトレット濾過材間の密着を防止し、且つ、通気性を確保するための通気性部材が介在されていることを特徴としている。
【００１６】
（５）  更に、本発明の請求項５に係る集塵装置は、前記集塵用フィルタを備えた集塵装置の機体内で、且つ、当該集塵用フィルタよりも下流側に、濾過風量を測定することができる風量測定手段と、回転数を可変調節可能に構成したブロワモータと、上記風量測定手段からの信号により前記ブロワモータの回転数を可変制御する制御部とを設けると共に、上記集塵用フィルタよりも上流側には、含塵空気中の含塵濃度を測定することができる粉塵濃度測定手段を設けて、上記の制御部は、上記の風量測定手段が測定した風量値と、上記の粉塵濃度測定手段が測定した粉塵濃度値から、単位風量当りの粉塵濃度値、即ち、粉塵濃度を風量で割った値を演算して、当該風量を上昇させても単位風量当りの粉塵濃度値が変化しない値を粉塵濃度飽和値として、この粉塵濃度飽和値を維持しつつ、上記風量検出手段から算出される風量値が最小となるように、上記ブロワモータの回転数を制御することを特徴としている。
【００１７】
上記（１）で述べた請求項１に係る集塵用フィルタによれば、当該フィルタは、フィルタの全体が断面略蛇腹形状に構成できるため、濾過材が含塵空気の流れ方向に対して斜めに形成されて、濾過流路を長くすることができるから、ダストの捕集効率を向上させることができる。更に、通気穴の上下の端縁同士（先端部）は、縫着又は固着によって外側（上下側）に拡がらないので、通気性を妨げることはない。
【００１８】
上記（２）で述べた請求項２に係る集塵用フィルタによれば、当該フィルタは、フィルタの全体が断面略蛇腹形状に構成できるため、濾過材が含塵空気の流れ方向に対して斜めに形成されて、濾過流路を長くすることができるから、ダストの捕集効率を向上させることができる。更に、櫛型状の密着防止板を取付けることによって、濾過面側（上流側）の濾過材の通気穴を形成する端部間の密着を防止し、通気性が確保されて、濾過面側（上流側）の濾過材の端部に至るまで有効に機能することを可能とした。尚、最下端のフィルタ単体から数えて複数個以上に密着防止板を取付ければ、上方のフィルタ単体には、下方側のフィルタ単体、及び密着防止板の重量が掛かり下方側に引張られるので、通気穴を形成する端部が開口することとなる。よって上方のフィルタ単体には、密着防止板を取付ける必要がないので、コストを安く抑えることができる。
【００１９】
上記（３）で述べた請求項３に係る集塵用フィルタによれば、高性能濾過材の上流側にエレクトレット濾過材を設けた複層構造に構成したことで、含塵空気中に含まれる様々な粒子径の塵埃を静電気による作用で効果的に捕集することができ、且つ、高性能濾過材との境界面に捕集される粒子を減らすことで、高性能濾過材に負担を掛けないことにより、高捕集効率を実現しながらフィルタ濾過材の寿命を伸ばすことができる。更に、高性能濾過材よりも密度が低いエレクトレット濾過材を使用したことで、圧力損失を低く抑えることができて、吸引源となるブロアなどに与える負担を可及的に少なくすることができる。
【００２０】
上記（４）で述べた請求項４に係る集塵フィルタによれば、介在した通気性部材がエレクトレット濾過材のひだ部の端部間の密着を防止し、通気性が確保されて、エレクトレット濾過材の端部に至るまで有効に機能することを可能とした。更に、上記通気性部材は、エレクトレット濾過材よりも圧力損失が小さいので、当該濾過材の捕集性能に影響を与えることはない。
【００２１】
上記（５）で述べた請求項５に係る集塵装置によれば、粉塵飽和濃度に達する必要最小限の風量となるように、ブロワモータの回転数を制御することで、最も集塵効率の高い制御方法を提供することができる。更に、フィルタの濾過性能以上に負荷を掛けることもなく、その結果、早期にフィルタ目詰まりが発生することも防止することを可能にする。
【発明の効果】
【００２２】
以上述べた次第で、本発明に係る集塵用フィルタ及びそのフィルタを備えた集塵装置によれば、含塵空気中に粒子径が非常に細かいヒュームが含まれていて、ヒュームが高濃度である含塵空気を吸引した場合においても、早期に目詰まりが発生しないようにフィルタ構造を工夫し、特にフィルタを構成する濾過材の積層順序や密度が最適となるような値とし、目詰まりが発生しやすい箇所においても改良を加えることを可能にすると共に、更には、含塵空気中の含塵量（含塵濃度）に応じて最適な濾過風量に自動的に制御することにより、フィルタの捕集能力を最大限に有効活用することができて、目詰まりし難く、且つ効率の良い集塵用フィルタ及びこの集塵用フィルタを搭載した集塵装置を提供することができる。
【図面の簡単な説明】
【００２３】
【図１】本発明に係るフィルタの濾過材の積層順序を説明した拡大構成図。
【図２】本発明に係るフィルタの実施例を示した平面図。
【図３】本発明に係るフィルタの実施例を示した側面図。
【図４】本発明に係るフィルタの内部構造の実施例を示した側断面図。
【図５】本発明の請求項４に記載のフィルタの実施例を示した平面図。
【図６】（ａ）は図４のＹ部を拡大して示した断面図で、（ｂ）は通気性部材を取り付けていない場合の状態を示した図４のＹ部の拡大断面図。
【図７】（ａ）は本発明に係るフィルタの通気穴部分の拡大断面図、（ｂ）は従来のフィルタの通気穴部分の拡大断面図。
【図８】本発明で使用する密着防止板の側面図。
【図９】本発明の実施例に係る縦型集塵装置の斜視図。
【図１０】本発明の実施例に係る縦型集塵装置の内部構造を説明した側断面図。
【図１１】ポリプロピレンを加工した時に発生したヒュームの粒度分布を測定した図。
【図１２】図１１を基にして換算した粒子径と体積含有率の関係を表した図。
【図１３】エレクトレット濾過材Ａの捕集状態を光学式顕微鏡を用いて観察したものを示した図。
【図１４】エレクトレット濾過材Ｂの捕集状態を光学式顕微鏡を用いて観察したものを示した図。
【図１５】エレクトレット濾過材Ｃの捕集状態を光学式顕微鏡を用いて観察したものを示した図。
【図１６】本発明の実施例に係る縦型集塵装置の動作を説明したフローチャート。
【図１７】ブロワモータの回転数の上昇に伴う風量センサ及び粉塵濃度計からの出力値より算出される風量と単位風量あたりの粉塵濃度の関係を示した図。
【図１８】本発明に係る縦型集塵装置の電気的構成を説明したブロック図。
【図１９】各濾過材に対してのヒュームの付着量及び付着割合をまとめて表にした図。
【発明を実施するための形態】
【００２４】
＜フィルタ濾過材について＞
＜濾過材の構成、積層順序＞
以下に、本発明の実施の形態を図面と共に詳細に説明すると、図１に符号ＺＫで全体的に示したフィルタ濾過体の構成、積層順序は、繊維層が異なるＡ〜Ｄの４層の濾過材によって形成されていて、上流側（濾過面側）から、含塵空気中に含まれる粒子径が１〜１０μｍを中心に捕集するための繊維層を形成する第１のエレクトレット濾過材Ａと、含塵空気中に含まれる粒子径が ０．５〜１μｍを中心に捕集するための繊維層を形成するエレクトレット濾過材Ｂと、含塵空気中に含まれる粒子径が ０．３〜０．５μｍを中心に捕集するための繊維層を形成するエレクトレット濾過材Ｃと、骨材を形成する通気性濾過材Ｄが積層されている。
【００２５】
また、高性能濾過材である第３のエレクトレット濾過材Ｃの上流側に、第１と第２のエレクトレット濾過材Ａ、Ｂを設けたことで、静電気により含塵空気中に含まれる比較的小さな粒子から大きな粒子（粒子径 ０．５〜１０μｍ）までを広範囲に効果的に捕集することができて、第３のエレクトレット濾過材Ｃに負担を掛けないことにより、高捕集効率を実現しながらフィルタ濾過体ＺＫの寿命を伸ばすことができる。
【００２６】
加えて、上記に述べた通り、濾過材Ａ，Ｂ，Ｃは、エレクトレット化された濾過材であることより、濾材に荷電してエレクトレット化させる製造工程において、積層された３層のエレクトレット濾過材Ａ，Ｂ，Ｃをまとめて荷電することができるので、製造コストを低く抑えることができる。
【００２７】
＜フィルタ繊維の密度＞
実施例でのフィルタ濾過体ＺＫは、上流側（濾過面側）からフィルタ繊維の密度の小さい順に第１エレクトレット濾過材Ａ、第２エレクトレット濾過材Ｂ、第３エレクトレット濾過材Ｃから成る複数の濾過材を積層することにより、含塵空気中に含まれるヒュームが一つの濾過材に集中して捕集されず、しかも徐々にその絶対量を減少させながら上流側（濾過面側）から下流側に濾過が進むことで、フィルタ全体として捕集効率を確保しつつ目詰まりし難い構成とした。
【００２８】
更に、第１エレクトレット濾過材Ａと第３エレクトレット濾過材Ｃの間に、第２エレクトレット濾過材Ｂを設けたことで、第１エレクトレット濾過材Ａで捕集できなかった比較的大きな粒子や粒子径が０．５〜１μｍ程度の比較的細かい粒子を捕集することができるので、高性能濾過材である第３エレクトレット濾過材Ｃに負担を掛けずにフィルタ濾過材Ａ，Ｂ，Ｃの寿命を伸ばすことができる。
【００２９】
＜濾過材のスペック＞
第１エレクトレット濾過材Ａの仕様は、目付け量が３００ g／ｍ２以上、厚さ３ｍｍ以上のものを使用し、実施例では目付け量が３１５g／ｍ２、厚さ３．７ｍｍ、圧力損失１５．７Ｐａ、密度８５．１×１０ ３g／ｍ３のものを使用している。
【００３０】
第１エレクトレット濾過材Ａを上記の目付け量及び厚さにすることで、含塵空気中に含まれる広範囲（１〜 １０μｍ）の粒子径を捕集・保持可能とし、より粒子径の細かい塵埃を捕集するための下流側の濾過材（濾過材Ｂ，Ｃ）に負担を掛けないことで、フィルタ寿命を伸ばすことができる。
【００３１】
第２エレクトレット濾過材Ｂの仕様は、目付け量が１１５ g／ｍ２、厚さ０．９ｍｍ、圧力損失２５Ｐａ、密度１２７．８×１０３g／ｍ３で、その密度は、第１エレクトレット濾過材Ａの密度に比べて約１．５倍である。
【００３２】
第３エレクトレット濾過材Ｃの仕様は、目付け量が１００ g／ｍ２、厚さ０．６１ｍｍ、圧力損失２３８Ｐａ、密度１６３．９×１０３g／ｍ３で、その密度は第１エレクトレット濾過材Ａの密度に比べて約２倍である。尚、第３エレクトレット濾過材Ｃの捕集効率は、９９．９９９％（ JIS Z 8122の測定方法に基づく）であり、ＨＥＰＡフィルタに相当する高性能濾過材であることがわかる。また、骨材を形成する通気性濾過材Ｄは、目付け量が６０ g／ｍ２、厚さ０．２２ｍｍ、通気度１００ＣＣ／ｃｍ２・ｓｅｃ、圧力損失２５Ｐａであり、通気性に優れた高強度の不織布を使用している。
【００３３】
＜フィルタについて＞
以下に、上述したフィルタ濾過体ＺＫを用いて構成した本発明に係るフィルタの実施の形態を図面と共に説明すると、図２は本発明が実施されたフィルタの平面図、図３はフィルタの側面図、図４は側面からの断面図であって、これ等の図面において夫々符号１０で全体的に示した本発明に係るフィルタは、複数のフィルタ単体１０Ｔ…を上下縦方向に連設することによって構成されている。即ち、上述した図２、図３、図４に示すように、各フィルタ単体１０Ｔ…は濾材（濾過体材ＺＫ）を折り曲げ加工することによって、平面視が断面四角形状又は円形状を成し、且つ、上下の幅を比較的薄く形成した袋状に成形されていて、その外端部１０Ｓはヒダ状に細く偏平状に成形されると共に、上下幅を広く造った中央部の上下両面には含塵空気の通気穴１０Ｈを開口形成した構成に造られている。
【００３４】
本発明に係るフィルタ１０は、以上の如く構成した複数のフィルタ単体１０Ｔ…を、図３の如く中央の通気穴１０Ｈ…同士が連通し、且つ、フィルタ１０の長手方向（図面では上下方向）に各フィルタ単体１０Ｔ…のヒダ（外端部１０Ｓ）が幾重にも重なるように、接着又は縫着等の手段によって連設することによって構成されている。
【００３５】
更に図３において、１０Ｋ…は上記上下方向に連設した各フィルタ単体１０Ｔ…の外端部１０Ｓ…同士の部分、具体的には、四隅の各外端部１０Ｓ…の部分同士を縦方向に連結した紐体（糸、リボンのような幅広の紐、ワイヤー等）であって、これ等の紐体１０Ｋ…はフィルタ１０の全体を図３のように吊下げ状態（上下伸張状態）にした時には、各フィルタ単体１０Ｔ…が上下に等間隔に伸張して、重なっていたフィルタ面を上下に開き、各フィルタ単体１０Ｔ…のフィルタ面を有効利用できるように構成されている。尚、上記紐体１０Ｋ…の取付け位置は、外端部１０Ｓの角部（隅部）のみに限定されないことは勿論であって、外端部１０Ｓの中間部等、外端部１０Ｓであればいずれの部位であってもよく、図示の位置のみに限定されることはない。
【００３６】
＜通気性部材について＞
また、各フィルタ単体１０Ｔの４隅には、厚さが数十ｍｍ（実施例では、約２０ｍｍ）で、平面視より見て略三角形状の不織布である通気性部材１０Ｘ…が使用されている。（図５、図６（ａ）参照。）通気性部材１０Ｘの圧力損失は、前述したエレクトレット濾過材Ａの圧力損失（実施例では１５．７Ｐａ）よりも十分に低く、通気性に優れた素材を使用しているので、捕集性能に影響を与えることはない。
【００３７】
実施例では、図６（ａ）のように、上下の濾過体ＺＫ、ＺＫを構成する第１エレクトレット濾過材Ａ，Ａの間に、通気性部材１０Ｘを挟んだ後、外周を縫製処理している。このように、通気性部材１０Ｘを取付けることによって、第１エレクトレット濾過材Ａ，Ａの捕集面同士の密着を防止し、通気性が確保されて、第１エレクトレット濾過材Ａ，Ａの端部に至るまで有効に濾過性能が機能することを可能とした。尚、図６（ｂ）のように通気性部材１０Ｘを介在していないと第１エレクトレット濾過材Ａ，Ａの内面同士が密着、若しくは非常に接近してしまい、通気性が確保できなくなることが判明した。
【００３８】
＜通気穴の端部の処理について＞
また、各フィルタ単体１０Ｔの通気穴１０Ｈの端縁部１０Ｈａ（内端部）は、外側（上下側）に拡がっていない形状をしていて、実施例では、かがり縫い１０ＨＴによって縫製処理されている。即ち、図５並びに図７（ａ）のように、端縁部１０Ｈａをかがり縫い１０ＨＴとすることで、端縁部１０Ｈａ（先端）が開かず通気性を妨げることはない。例えば、図７（ｂ）のように端縁部１０Ｈａが開いている状態で縫製処理１０Ｗした場合には、その開いている箇所にヒューム及び塵埃ＤＳが付着して、次第に成長していくので、それに伴いフィルタ差圧も上昇し、最終的には、開口部１０Ｚが閉塞してしまい、フィルタ１０、即ち、フィルタ単体１０Ｔが目詰まりしてしまう。特に、粘着性や付着性の特性を備えたヒューム及び塵埃については、この傾向が顕著に見られる。
【００３９】
よって、端縁部１０Ｈａをかがり縫い１０ＨＴで縫製処理することで、端部１０Ｈａ（先端）が図７（ｂ）のように開かない形状となり、開口部１０Ｚの通気性を確保しながら、ヒューム及び塵埃の端部１０Ｈａ（先端部）への付着を最小限に留めることができて、フィルタ寿命を伸ばすことができる。なお実施例では、かがり縫い１０ＨＴによる縫製処理をしているが、例えば、接着、圧着、溶着などの他の方法により、端部が開かないように処理しても構わない。
【００４０】
＜密着防止板について＞
実施例では、第４、図８に示した樹脂製の密着防止板２０は、図示のような板状の櫛型形状をしている。櫛歯状の６箇所の長辺部２０Ｘ…は、等間隔で形成されていて、その間には略Ｖ字形状の切り込み２０Ｅ…が入れられている。平面から見てフィルタ１０には、図２に示すように丁度９０度間隔で密着防止板２０が４箇所取付けられている。実施例では、図４に示す断面図に示す如く、１０段のフィルタ単体１０Ｔ…を形成しているフィルタ１０において、最下段より数えて６段までのフィルタ単体１０Ｔ…に密着防止板２０の計６本の長辺状の櫛片２０Ｘ…が差し込み保持されている。フィルタ単体１０Ｔ…の内側に長辺状の櫛片２０Ｘ…を差し込むことによって、各フィルタ単体１０Ｔ…の通気口、即ち、前記開口部１０Ｚを形成する端部間の密着を防止し、通気性が確保されて、所定の間隔を維持することになる。
【００４１】
また、各長辺状の櫛片２０Ｘ…には、図８に示すようにその周面の数箇所に凸部２０ｔ…が形成されていて、差し込まれた状態を保持する抜け止め作用を発揮している。密着防止板２０の長辺状の櫛片２０Ｘ…が差し込まれていない、最上段から数えて４段目までのフィルタ単体１０Ｔ…においては、下方側のフィルタ単体１０Ｔ…、及び密着防止板２０…の重量が掛かることによって、通気口（開口部１０Ｚ）を形成する端部が開口することとなる。よって上方（半分より上）のフィルタ単体１０Ｔ…には、密着防止板２０…を取付けることがないので、コストを安く抑えることができる。
【００４２】
＜集塵装置について＞
図９は本発明に係る集塵用フィルタ１０が実施された縦型集塵装置５０の一例を示した斜視図、図１０はこの縦型集塵装置５０の内部構成を示した断面側面図である。なお、図１０において、一点鎖線の矢印は吸引した含塵空気の流れを示す。縦型集塵装置５０は、縦長略直方体形状の本体５１と、この本体５１の前面に開閉可能に取付けられるメンテナンス用扉５２とを備えている。
【００４３】
図１０に示す本体５１は、本体５１の天板５１Ａを貫挿する円筒形状の筒体５３と、本体内部５１Ｘにおいてこの筒体５３の下端に支持される前述したフィルタ１０と、本体内部５１Ｘの中央よりやや下方に水平に固定される枠体５４と、この枠体５４の上面に載置される脱臭ボックス５５と、この脱臭ボックス５５及び枠体５４の下方において本体５１の底板５１Ｂの中央に固定される収納体５６と、この収納体５６に収納されるブロワモータ５７と、本体内部５１Ｘの下部後方においてブロワモータ５７と枠体５４とを接続する接続管５８と、上記収納体５６の前方（図１０において左側）において、本体５１の底板５１Ｂに固定された高性能フィルタ５９とを備えている。
【００４４】
上記の筒体５３は、本体５１の天板５１Ａから上方に突出する上筒部５３Ａと、本体５１の天板５１Ａから下方に突出する下筒部５３Ｂとにより構成され、本体５１の外部と内部とはこの筒体５３により連通されている。上筒部５３Ａは下端に形成されたフランジ部５３Ｆを介して天板５１Ａ上に固定されており、上筒部５３Ａの上端に含塵空気の吸込口５３Ｈが形成されている。
【００４５】
この吸込口５３Ｈには、更に吸気ダクト等（図示せず）が接続されて、含塵空気の発生位置に配管されている。下筒部５３Ｂの下端外周には外鍔状に形成された支持板５３Ｋが固定され、この支持板５３Ｋに図示しないアタッチメント等を介して前記フィルタ１０の上面部に取り付けた上蓋１０Ｗの接続口１０ＷＡ（図４参照）が接続固定されることにより、フィルタ１０は本体内部５１Ｘの上部に上記筒体５３の下筒部５３Ｂに連通した状態に吊設されている。
【００４６】
上記の枠体５４は、図１０に示すように本体５１の前板５１Ａと背板５１Ｂに支持されて（下向きの）断面コの字状を成す仕切板５４Ａと、この仕切板５４Ａの下端口を閉塞するように、仕切板５４Ａの下端内面に水平に固定される底板５４Ｂとにより構成されていて、仕切板５４Ａと底板５４Ｂとの間には偏平な空間５４Ｈが形成されている。仕切板５４Ａの水平な上面には複数の穴５４Ｔ…が形成されており、更に底板５４Ｂの後部側には円形の挿入穴５４Ｘが穿設されている。
【００４７】
また、前述した脱臭ボックス５５は、フィルタ１０の最下端のフィルタ単体１０Ｔの底面に上面口５５Ａを対向させるようにして、上記枠体５４の上面に載置固定されている。この脱臭ボックス５５の内部には、含塵空気に含まれる臭気を除去するための活性炭（図示せず）が収納されている。また、前述した収納体５６は箱型形状を成し、この収納体５６の内部にはブロワモータ５７が収納されている。ブロワモータ５７は、後述する制御部からの指令によって回転数を可変することができる。前述した接続管５８は、枠体５４に対して鉛直下方に接続される円筒形状の直管部５８Ａと、この直管部５８Ａの下端に接続されるエルボ管５８Ｂとにより構成されている。エルボ管５８Ｂの下端を上記収納体５６の後方連通穴５６Ｘの外周部分に接続することにより、枠体５４の空間とブロワモータ５７の後室５６Ｔとが接続管５８を介して連通するようになっている。
【００４８】
前述した高性能フィルタ５９は、フィルタ１０では捕集しきれなかった微粒子（例えば、粒子径３μｍ以下の粒子）を捕集するためのものであり、例えば、ＨＥＰＡフィルタ等が用いられる。この高性能フィルタ５９は、本体５１の下端前方に固定された左右横長のフィルタケース５９Ｘ内に収納され、フィルタケース５９Ｘの前面に形成された前方開口部５９Ｙを通して外気に露出している。前述したメンテナンス用扉５２の内部には、上部から中央部下方にかけて電装室５２Ｓが形成されていて、電装室５２Ｓの背面側には、保護カバー５２Ｘが取付けられている。
【００４９】
また、電装室５２Ｓには、集塵装置５０の駆動、制御を行うための電装品（図示省略）が収納されている。この電装品は、例えば、前記ブロワモータ５７の必要駆動電圧まで供給電圧を昇圧させる昇圧基板、ブロワモータ５７を回転駆動する為のモータドライバー基板、交流電源を直流電源に変換する電源部、電源基板、各種基板の制御を司る制御基板等（いずれも図示省略）により構成されている。制御基板には、後述する粉塵濃度計や風量センサの出力信号に従い、モータドライバー基板に信号を送ってブロワモータ５７の回転制御を行う機能が具備されている。
【００５０】
更に、上記メンテナンス用扉５２の上部傾斜面には、設定部としての操作パネル６０が埋め込まれている。操作パネル６０には、集塵装置５０の運転、停止を行うためのスイッチ、含塵空気の吸引風量を設定する風量設定部、フィルタ１０９の目詰まり状態をインジケータで表示する目詰まり表示部、及び集塵装置の異常を知らせる異常ランプ等（いずれも図示省略）が装備されている。
【００５１】
〈粉塵濃度計について〉
また、図９、図１０に示す如く前述した筒体５３の上筒部５３Ａに取り付けられている粉塵濃度計６１は、測定領域に向けて測定光を照射するための照射手段と、測定領域からの被検知光を受光するための受光手段を備え、受光された被検知光を演算処理して粉塵濃度を算出するための粉塵濃度演算手段を、集塵装置５０の制御部内に備えている。図示はしていないが、照射手段及び受光手段は検知部に内蔵されていて、吸込口５３Ｈに取付けられている。また粉塵濃度計６１としては、レーザー光の散乱率に基づいて含塵空気中に含まれる粉塵濃度を測定することができる光散乱方式を用いるのが良い。検知部６１Ａは、吸込口５３Ｈより取り外し可能な構造となっていて、汚れた場合には簡単に清掃することができる。
【００５２】
＜風量センサについて＞
風量測定手段としての風量センサ６２は、図１０に示す如くフィルタ１０の下流側のブロワモータ５７の吸引口に接続されている接続管５８Ａ内に取付けられている。実施例での風量センサ６２には、スリットを設けた風車とフォトインタラプタを備えていて、風車の回転数に応じたてパルス数を集塵装置５０内の制御部に出力する。後述する制御部はこの受け取ったパルス数に応じて風量に変換する演算処理を行なう。
【００５３】
＜捕集の作用について＞
次に、図１０を参照しつつ、上述の如く構成された集塵装置５０が含塵空気に含まれるヒュームや塵、埃等の粉塵を除去する時の作用について説明する。まず、メンテナンス用扉５２を閉止し、吸気ダクト等（図示せず）を筒体５３の吸込口５３Ｈに接続する。この状態で、操作パネル６０を操作して集塵装置５０を起動させ、ブロワモータ５７を回転させる。これによりブロワモータ５７の後室５６Ｔに吸引力が生じ、図１０に一点鎖線の矢印で示す如く、吸気ダクトから吸込口５３Ｈを介して本体内部５１Ｘに含塵空気が吸引される。この含塵空気は、フィルタ１０によりヒューム、埃、塵等が捕集された後、脱臭ボックス５５内の活性炭（図示省略）により脱臭されて清浄空気となり、本体５１の外に排出される。
【００５４】
＜含塵空気の粒度分布＞
図１１は、容器や自動車部品など幅広い用途に使用されている熱可塑性樹脂であるポリプロピレンを、レーザー加工機で加工したときに発生したヒュームの粒度分布を測定した図である。また、図１２は、図１１を基にして換算した粒子径と体積含有率の関係を表した図である。図１１の試験結果より、ヒュームに含まれる粒子径の範囲としては、最小流径は約０．２μｍであり、最大流径は約１５μｍであり、また積算値 ５０％の粒度である平均粒径は、 d５０＝０．９３３μ ｍであることが分かった。また図１２の試験結果より、比較的大きな粒子である粒子径１０μ m付近において、体積の占める割合が大きいことが分かった。
【００５５】
以上の試験結果から、体積占有率が大きい粒子径１０μ ｍ付近の粒子を確実に捕集するための第１エレクトレット濾過材Ａを、濾過面の最も上流側に配置し、その下流側に粒子含有率が最も多い０．５〜１μ ｍ付近の粒子を確実に捕集するための第２エレクトレット濾過材Ｂを配置し、更に下流に、両エレクトレット濾過材Ａ、Ｂでは捕集が困難である非常に細かい０．３〜０．５μｍ付近の粒子を捕集するための高性能濾過材Ｃを配置した本発明のフィルタ１０の濾過体ＺＫは、図１１、図１２の分布図より、ヒュームを捕集するのに最適な構成であることがわかる。
【００５６】
＜フィルタを構成する各層の濾過材の付着量及び付着割合＞
フィルタ１０の積層構成の効果を確かめるために、試験片をレーザー加工した際に発生するヒュームをフィルタ１０で捕集した後、フィルタ１０を構成する各層の濾過材の付着量及び付着状態を調べる。
【００５７】
〔試験条件〕
レーザー加工機：炭酸ガスレーザー加工機
レーザー出力：１２Ｗ
試験片：ポリプロピレン
ヒューム濃度：約８５ｍg/ｍ３
フィルタ素材：第１、第２、第３の各エレクトレット濾過材Ａ、Ｂ、Ｃを使用
フィルタの構成：上流側（濾過面側）から各エレクトレット濾過材Ａ，Ｂ，Ｃを積層
フィルタの大きさ：１００ｍｍ×１００ｍｍフィルタの濾過速度：５．８ ｍ／ｍｉｎ
測定時間：１時間３０分（フィルタ差圧が １５００Ｐａに到達するまで測定）
【００５８】
〔実験結果〕
各々の濾過材に対してのヒュームの付着量及び付着割合をまとめた表を図１９に示す。
【００５９】
〔考察〕
上記の結果より、ヒュームの付着割合が上流側（濾過面側）である第１エレクトレット濾過材Ａから第２エレクトレット濾過材Ｂ、第３のエレクトレット濾過材Ｃと減少していて、密度が低い濾過材Ａで最も多くヒュームを捕集し、密度が高くなる第２、第３の各エレクトレット濾過材Ｂ，Ｃに向かうに従いヒュームの付着量が減っていく理想的な捕集状態となっていることが実験により確認できた。また、各々のエレクトレット濾過材Ａ，Ｂ，Ｃの捕集状態を光学式顕微鏡を用いて観察したものが図１３（第１エレクトレット濾過材Ａ）、図１４（第２エレクトレット濾過材Ｂ）、図１５（第３エレクトレット濾過材Ｃ）である。図１３では、フィルタ繊維によって比較的大きな粒子が捕集されていて、また、フィルタ繊維間には、十分な通気性が確保されており、目詰まりしていない状態が確認できた。
【００６０】
図１４では、一部第１エレクトレット濾過材Ａで捕集できなかった比較的大きな粒子などがフィルタ１０の繊維によって捕集されているが、フィルタ１０の繊維間には、通気性が確保されており、目詰まりしていない状態が確認できた。また、図１５では、第１、第２のエレクトレット濾過材Ａ，Ｂでは捕集困難であった非常に細かい粒子が第３のエレクトレット濾過材Ｃで捕集されていて、フィルタ繊維間には、十分な通気性が確保されており、目詰まりしていない状態が確認できた。
【００６１】
＜風量制御について＞
通常、含塵空気中のヒュームを集塵装置５０にて集塵する場合、ヒュームの発生量は、工程ごとにある程度決まっているのが一般的であり、以下にヒュームの含塵量（含塵濃度）に応じた風量制御について詳細に述べる。実施例では、集塵装置５０内のフィルタ１０より上流側である吸込口５３Ｈに、含塵空気中の粉塵濃度を測定する粉塵濃度測定手段である粉塵濃度計６１を取付けてある。また集塵装置５０内のフィルタ１０の下流側であるブロワモータ５７の吸引口に接続してある接続管５８内には、濾過風量を測定するための風量センサ６２を取付けてある。
【００６２】
次に、本発明の作用を図１６のフローチャートに従って説明する。先ず、ステップ１にて集塵装置５０の運転スイッチ（図示省略）のＯＮ動作により運転が開始されると、ステップＳ２に進んで集塵装置５０の吸引源であるブロワモータ５７が回転を開始し、吸込口５３Ｈより含塵空気の吸引を開始すると同時に、ステップＳ３で粉塵濃度計６１及び風量センサ６２も測定を開始する。
【００６３】
運転時間の経過に伴い、ステップＳ４に進んで制御部からの指令により、ブロワモータ５７の回転数は次第に上がっていく。次いで、風量センサ６２及び粉塵濃度計６１は、一定時間間隔で測定を行い、その測定値を制御部に出力する。その結果、ブロワモータ５７の回転数の上昇に伴い、風量センサ６２及び粉塵濃度計６１からの出力値より算出される風量と単位風量あたりの粉塵濃度の関係は、図１７のように運転開始時には風量−単位風量あたりの粉塵濃度曲線が急勾配で上昇するが、粉塵発生量がある程度一定量であるため、風量が上昇するに従い、風量の増加分に比べて単位風量あたりの粉塵濃度の増加分が少ないので、次第に風量−単位風量あたりの粉塵濃度曲線の勾配が緩やかになっていき、最終的には、ステップＳ５で風量が増加しても単位風量あたりの粉塵濃度が増加しない、粉塵濃度飽和点（以下飽和点Ａと称す）に達することとなる。
【００６４】
風量−単位風量あたりの粉塵濃度曲線は、飽和点Ａ以降、風量をあげても粉塵濃度は上がらないので、飽和点Ａを維持するようにブロワモータ５７の回転数を制御することが最も集塵効率が良いということになる。更に、フィルタ１０の濾過性能以上に負荷を掛けることもなく、その結果、早期にフィルタ１０の目詰まりが発生することも防止する。
【００６５】
具体的に飽和点Ａの算出の方法としては、図１８において符号１００で全体的に示した制御部において、一定時間間隔（例えば数秒程度の間隔）で風量センサ６２からの風量、及び粉塵濃度計６１からの粉塵濃度をサンプリングし、単位風量あたりの粉塵濃度を算出する。風量が増加しているにも関わらず、ステップＳ６で単位風量あたりの粉塵濃度が一定となるまでブロワモータ５７の回転数を上げる。その後、更にブロワモータ５７の回転数を上昇させても、単位風量あたりの粉塵濃度に変化がなければ、単位風量あたりの粉塵濃度が飽和したと判断し、その後は、ブロワモータ５７の回転数を単位風量あたりの粉塵濃度に変化がない飽和点Ａまで落として、ステップＳ８でその回転数を維持しながら運転を継続した後、ステップＳ９、Ｓ１０に進んで処理を終えることとなる。
【００６６】
飽和点Ａを検出後には、粉塵濃度計６１の汚れを考慮して取り外しても構わない。また作業が変更するなどして発生する粉塵濃度が異なる場合においては、再度、粉塵濃度計６１により粉塵濃度を測定して飽和点Ａを検出して、最適な風量で運転を行えば良い。
【００６７】
なお図１８には、本発明の構成を示すブロック図を示し、制御部１００を構成するＣＰＵ１０１及びメモリ１０２はインターフェース１０４及びバス１０３を介して、設定部６０からの運転設定条件に基づき運転を行い、粉塵濃度計６１及び風量センサ６２からの信号により風量一定となるようにブロワモータ５７の回転数を可変制御する。また、粉塵濃度計６１は始業点検時のみ接続する方法でも構わない。このような方法にすることで、複数の集塵装置５０…に対して、１台の粉塵濃度計６１で測定することができて、コストアップを防ぐことができる。而して図１８において、１０５と１０６は前記操作パネル６０に設けられた表示器と設定入力部である。
【符号の説明】
【００６８】
ＺＫ        フィルタ濾過体
Ａ          第１エレクトレット濾過材
Ｂ          第２エレクトレット濾過材
Ｃ          第３エレクトレット濾過材
Ｄ          高性能濾過材
８Ｍ        モータ（駆動部）
１０        集塵用フィルタ
１０Ｔ      フィルタ単体
１０Ｋ      紐体
１０Ｓ      外端部
１０Ｘ      通気性部材
１０Ｈ      通気穴
１０ＨＴ    かがり縫い
２０        密着防止板
２０Ｘ      長辺状の櫛片
５０        集塵装置
【図１】
2015226913.tif 000003
【図２】
2015226913.tif 000004
【図３】
2015226913.tif 000005
【図４】
2015226913.tif 000006
【図５】
2015226913.tif 000007
【図６】
2015226913.tif 000008
【図７】
2015226913.tif 000009
【図８】
2015226913.tif 000010
【図９】
2015226913.tif 000011
【図１０】
2015226913.tif 000012
【図１１】
2015226913.tif 000013
【図１２】
2015226913.tif 000014
【図１３】
2015226913.tif 000015
【図１４】
2015226913.tif 000016
【図１５】
2015226913.tif 000017
【図１６】
2015226913.tif 000018
【図１７】
2015226913.tif 000019
【図１８】
2015226913.tif 000020
【図１９】
2015226913.tif 000021